(57)【特許請求の範囲】
【請求項１】
天板の後端縁に沿って横方向に延びるように配設する配線受け樋体を、左右一対の取付け体を介して、前記天板の後端左右両側部位に装着し、
前記左右一対の取付け体には、前記天板の後端部上に立設するための縦パネルの支持部を備え、
前記左右一対の取付け体には、前記縦パネルの支持部を覆い、且つ前記天板の後端縁と前記配線受け樋体とに隣接する端カバー体を被嵌装着し、該端カバー体には、前記天板の後端縁と略平行状に延びる配線溝を備えたことを特徴とする天板の後端縁における配線受け樋装置。
【請求項２】
前記端カバー体における配線溝は、その延びる方向の両端部と上面とが開放されていることを特徴とする請求項１に記載の天板の後端縁における配線受け樋装置。
【請求項３】
前記配線受け樋体の上端部には、前記天板の後縁に向かって開閉可能な上カバー体を着脱可能に設けたことを特徴とする請求項１または請求項２に記載の天板の後端縁における配線受け樋装置。
【請求項４】
前記天板は、その左右両側方に配置された机天板に連結されるかもしくはキャビネットの箱体上に固定されていることを特徴とする請求項１乃至請求項３のいずれかに記載の天板の後端縁における配線受け樋装置。
【発明の詳細な説明】
【０００１】
【発明の属する技術分野】
本発明は、ワードプロセッサやコンピュータ操作等のような各種のＯＡ機器によるデスクワークを行う事務等に使用される天板に設ける配線受け樋装置の構造に関するものである。
【０００２】
【従来の技術】
最近のこの種の机における配線受け樋装置として、実開平５−９３２５９号公報に開示されているように、左右一対の脚体上端間を机天板にて連結し、該机天板の後端縁の長さの略全長にわたって沿うように、配線受け樋体を着脱可能に配置する構成であって、この配線受け樋体の上面が机天板の上面と略同一面を形成する一方、配線受け樋体の長手方向の両側端面に配線コードが挿通できる開口を備えたものが開示されている。
【０００３】
他方、実公平５−２２０９８号公報では、机やテーブルにおける天板の下面後端部近傍に、後幕板を、当該後幕板の上端面と天板の下面との間に左右長手の配線コード挿通用の隙間を隔てて立設し、後幕板の前面に断面略Ｕ字状の配線受け樋体を装着した構成が開示されている。
【０００４】
【発明が解決しようとする課題】
しかしながら、前記従来例の前者の構成では、配線受け樋体の長手方向の側端面の開口部からのみ配線コードを引き出して、その配線コードを机天板の側面から当該机天板の上に導くしか方法がなく、机天板を左右に隣接している場合に不便であった。
【０００５】
他方、前記従来例の後者の構成では、後幕板が存在しない形態では配線受け樋体を装着できないという問題があった。
【０００６】
本発明は、これらの問題を解消することを技術的課題とするものである。
【０００７】
【課題を解決するための手段】
前記技術的課題を達成するため、請求項１に記載の発明の天板の後端縁における配線受け樋装置は、天板の後端縁に沿って横方向に延びるように配設する配線受け樋体を、左右一対の取付け体を介して、前記天板の後端左右両側部位に装着し、前記左右一対の取付け体には、前記天板の後端部上に立設するための縦パネルの支持部を備え、前記左右一対の取付け体には、前記縦パネルの支持部を覆い、且つ前記天板の後端縁と前記配線受け樋体とに隣接する端カバー体を被嵌装着し、該端カバー体には、前記天板の後端縁と略平行状に延びる配線溝を備えたものである。
【０００８】
そして、請求項２に記載の発明は、請求項１に記載の天板の後端縁における配線受け樋装置において、前記端カバー体における配線溝は、その延びる方向の両端部と上面とが開放されているものである。
【０００９】
また、請求項３に記載の発明は、請求項１または請求項２に記載の天板の後端縁における配線受け樋装置において、前記配線受け樋体の上端部には、前記天板の後縁に向かって開閉可能な上カバー体を着脱可能に設けたものである。
【００１０】
さらに、請求項４に記載の発明は、請求項１乃至請求項３のいずれかに記載の天板の後端縁における配線受け樋装置において、前記天板は、その左右両側方に配置された机天板に連結されるかもしくはキャビネットの箱体上に固定されているものである。
【００１１】
【発明の実施の形態】
次に、本発明を具体化した実施の形態を説明する。図１は事務用机等の斜視図、図２は変形例を示す斜視図、図３は机の平面図、図１６は脇机の要部斜視図、図１７は脇机の後端に装着する配線受け樋装置の斜視図、図１８は配線受け樋装置の端部の斜視図である。
【００１２】
図１及び図２に示すように、本発明の机は、平面視で略Ｌ字状の天板の一例としての机天板１を一対の脚体２、２とその中間の補助脚体３とで支持するものであり、断面矩形筒状の横長のステー部材４の両端は、前記両脚体２の及び断面四角状の補助脚体３の上端の各々に連結された取付け体としての連結体１１にボルトにて接続され、隣接する連結体１１、１１の後縁には、合成樹脂製の押出材からなる配線受け樋体５（図９及び図１２参照）が前記机天板１の後端縁面に沿って延びるように配設されている。しかして、この連結体１１は、後述するように、本発明の配線受け樋体５の長手方向の両端部を支持するための取付け体の機能と、脚体２（補助脚体３）と机天板１とを連結する機能とを兼用している。
【００１３】
前記両脚体２は、床面上を机に対して前後方向に延びる下アーム部材６と、この下アーム部材６の上面から立設する金属板製中空状の脚柱７と、前記脚柱７の後面に沿って立設する金属板製中空状の補助脚柱８とによって構成されている。前記脚柱７の断面形状は、図６に示すように、その外側面板を机の前後方向に略真っ直ぐな平面に、その内側面板を後方に向かって湾曲しながら内向きに傾斜した湾曲傾斜面にするというように一つの湾曲辺と二つの直線辺とを有する平面視で略三角形に形成されている。なお、脚柱７及び補助脚柱８を一体的に作っても良い。
【００１４】
前記連結体１１は、平面視において略正方形に形成された金属製等からなるブロック体であり、その一つの角部の補助脚取付け部１２を前記補助脚柱８の上端面や前記補助脚体３の上面に対してボルトの締結にて着脱自在に取付けられる。
【００１５】
また、前記連結体１１の各側面のうち前記補助脚取付け部１２を有する一つの角部と対角をなす他の一つの角部に隣接して互いに直角をなす二つの側面には、前記横長のステー部材４の取付け部としての棒片１６を横向きに一体的に突出して、これに前記ステー部材４の一端を被嵌したのちボルト（図示せず）を締結することにより、ステー部材４を着脱自在に連結する。
【００１６】
しかして、連結体１１は、平面視において、前記補助脚取付け部１２から、２つの棒片１６、１６の挟む対の角部を通る対角線に対して対称形に形成されている。このようにして、前記連結体１１には、一つの角部を挟んで直角をなす二つの側面の各々に脚取付け部１４が、他の角部を挟んで直角をなす二つの側面に各々にステー部材４の取付け部としての棒片１６が設けられる等、平面視で前記両角部を結ぶ対角線に対して対称形状にすることにより、左右両側の脚体２、２及び補助脚体３に対して連結する連結体１１共通部品にすることができる。
【００１７】
前記連結体１１の各側面のうち前記補助脚取付け部１２を有する一つの角部を挟んで互いに直角をなす二つの側面には、前記脚柱７の上端に対して平面視略矩形状の支持板１８ａと共にボルト１５の締結にて着脱自在に取付けられる脚取付け部１４が一体的に設けられ、他方の脚取付け部１４の下面に、ビス１５ａを介して取付け片１３を連結し、該取付け片１３に前記配線受け樋体５の下面の一端部を、ビス１５ｂの締結にて着脱自在に連結する（図９参照）。なお、補助脚体３の上面に前記補助脚取付け部１２の箇所でボルト連結した連結体１１の上面には平面視略正方形状の支持板１８ｂをボルトにて連結固定する。
【００１８】
その場合、前記両脚取付け部１４の外側には、前記配線受け樋体５の上下中途部側に形成された断面横向きコ字状の嵌合部５ｃには、下向き係止突条５ａが係合し得る係止溝１７が形成されており、連結体１１の外側辺の下部側が前記係止溝１７より下方において断面湾曲状にカットされたカット部１７ａが設けられている。そして、前記嵌合部５ｃにおける下向き係止突条５ａの下方には、横向きの当接片５ｂが形成されており、隣接する脚体２（補助脚体３）に予め固定された２つの連結体１１、１１のうち、図９の二点鎖線に示す如く、直線状に並ぶ係止溝１７、１７に前記配線受け樋体５の左右両端部の下向き係止突条５ａを嵌め入れ、係止溝１７の箇所を中心にして配線受け樋体５を回動させて、配線受け樋体５を斜めにして嵌め入れ、次いで図９の実線のように配線受け樋体５の下端の配線受け樋部５ｄを下の前方に来るようにセットすると、前記カット部１７ａが前記嵌合部５ｃに嵌まると共に、当接片５ｂが前記カット部１７ａ垂直面に当接するので、それ以後は作業者が配線受け樋体５から手を離しても、当該配線受け樋体５の取付け姿勢は変化せず、且つ連結体１１、１１から脱落しないから、他の箇所の組み立て作業に移行できる。
【００１９】
そして、前記脚体２、２及び補助脚体３の上面にボルトにて連結した両連結体１１の上面に支持板１８ａ，１８ｂを、さらにボルト連結した後これら支持板１８ａ，１８ｂの上面に、前記机天板１を載せてビス止めする。
【００２０】
なお、本実施の形態の場合、机天板１の前後方向の寸法が大きい箇所では、前記支持板１８ａに、机天板１の下面に沿って前方に延びるアーム部材１９を下からのビスにて固着することにより、このアーム部材１９によっても机天板１を支持するように構成されている。前記机天板１における左右両側のうち前記脚柱７及び補助脚柱８に該当する部分には、これらを露出するようにした側方切欠部１ａが設けられ（図６参照）、この側方切欠部１ａには、この切欠部１ａ内のうち前記脚柱７の上端における連結体１１、支持板１８ａ及び前記補助脚柱８の上端における連結体１１上を一体的に覆い隠すようにした端カバー体としてのキャップ体２０が、その下向き係合片２０ａ（図１４（ａ）参照）を支持板１８ａの取付け孔２１に嵌め入れることにより、着脱自在に設けられている（図６及び図１４（ａ）参照）。
【００２１】
また、机天板１の後縁部は、図６で示すように、前記左右両側の連結体１１と配線受け樋体５の左右両側端部との取付け箇所で、当該配線受け樋体５の上部側５ａとの間隔が狭く、それより内側の左右連結体１１、１１の間で、前記上部側の前縁部５ａとの間隔が広くなり配線コードを引き出しできるように、机天板１の後縁部のうち左右両側端部を除き、後端切欠き部１ｂを形成する。
【００２２】
前記配線受け樋体５は、図９及び図１２に示すように、前記机天板１の後縁部のと対峙する上部側における前縁部には、断面半円弧状の係合支持部２２が形成されており、前記後端切欠き部１ｂとの隙間のうち寸法Ｌ２を残してこれを塞ぐようにした直線状の上カバー体２３の基部係合部２３ａが前記係合支持部２２に着脱自在、且つ上下回動可能に連結され、上カバー体２３を上方に回動したとき、前記机天板１の後縁部との隙間が広くなり、机天板１上のＯＡ機器からの配線を前記受け樋部５ｄ上に簡単に落とし込むことができるように構成されている。
【００２３】
前記配線受け樋体５の長手方向の両端部を取付けた取付け体としての連結体１１の上面を覆う端カバー体としてのキャップ体２０は、合成樹脂材等にて形成されており、図１３、図１４（ａ）及び図１４（ｂ）に示すごとく、下面側には、前記支持板１８ａにおける取付け孔２１に嵌まる前記ピン状の係合片２０ａや、連結体１１における補助脚取付け部１２の上面に突出する角部２４にきっちりと嵌合する凹所２５などが一体的に形成されているので、連結体１１にキャップ体２０を被せたとき、当該キャップ体２０が位置ずれしない。さらに、前記キャップ体２０の後部寄り部位には、上面及び左右両側に開放される配線溝２６が凹み形成されており、この配線溝２６の上面は図１５に示す上補助キャップ２７で覆うため、該上補助キャップ２７における一対の係合爪２７ａを、配線溝２６内面に設けた係止溝２６ａに着脱自在に係止させる。他方、縦補助キャップ２８の内面に形成された一対の上係合爪２８ａ，２８ａを前記係止溝２６ａに着脱自在に係止させる一方、一つの下係合爪２８ｂを下係止溝２６ｂに着脱自在に係止させる。この縦補助キャップ２８は脚体２（補助脚体３）の外側面に対するものである。
【００２４】
この構成により、前記の机を横に並べたとき、前記上補助キャップ２７及び縦補助キャップ２８を除去してから、一方の机天板１の後端下方の配線受け樋体５の端部から支持板１８ａ（１８ｂ）の後部を通した配線コードを、配線溝２６を介して隣接する脚体２（補助脚体３）上のコード挿通溝３２（図１０参照）に挿通させた後、端カバー体３３（図１１参照）及び上補助キャップ２７を夫々の箇所に被せると、机の上面後部がすっきりとする。
【００２５】
また、図１及び図２に示すように、机天板１の後縁に沿って縦パネルとしての目隠し用パネル６０を立設するには、当該目隠し用パネル６０の左右端から下向きに突出する取付け軸（図示せず）を、前記連結体１１の角部２４に穿設された装着孔６１に差し込めば良い。このように、支持部としての角部２４は、金属製の取付け体としての連結体１１に一体的に形成されているから、強度が高く、前記縦パネルとしての目隠し用パネル６０を強固に支持することができる。この場合、キャップ体２０の上面後端に穿設された挿通孔６２を介して前記取付け軸を挿通するものであるから、机天板１の後端隅部の美観も向上する。前記挿通孔６２が不使用の場合には、図示しない円盤状の蓋片にて塞いでおくことが好ましい。
【００２６】
次に、図１、図２、図３、図１６及び図１７に示すように、脇机もしくはキャビネット付きワゴン３０における天板３１の後端縁に沿って、前記図１２に示すものと同じ断面形状の配線受け樋体５を配置して取付けする構成について説明する。図１９、図２０及び図２１に示すように、配線受け樋体５の長手方向左右両端部を天板３１の後端隅部に取り付けるための取付け体としての金属製の左右一対の取付け金具６３、６３は、それぞれ前記天板３１の下面にビス６５にて連結する底板６３ａと、該底板の後側で垂直に屈曲させて前記配線受け樋体５における上端部の矩形枠部５ｅに当接させてビス６９止めするための垂直板部６３ｂと、後述する端カバー体６４を支持してビス６７にて固定するための連結板部６３ｃとからなり、この連結板部６３ｃの後端隅部には、縦パネルとしての目隠しパネル６０を支持すための支持部としての矩形角部６６が上下に延びるように、溶接固定されている。この矩形角部６６には上下に貫通する装着孔６８が穿設されており、図１６に示すように、目隠しパネル６０の下端から突出する取付け軸６０ａ，６０ａを前記装着孔６８に嵌め入れて着脱自在に立設できるように構成されている。
【００２７】
なお、配線受け樋体５における下側の配線受け樋部５ｄは、天板３１の左右方向の寸法と略同一となるまで延長している。
【００２８】
端カバー体６４は合成樹脂製であって、前記配線受け樋体５における矩形枠部５ｅ及び天板３１の後端縁に隣接して、取付け金具６３の連結板部６３ｃのほぼ全域の上面及び前記矩形角部６６の上側と側面とを覆うように形成され、且つ前記配線受け樋体５の端部から天板３１の外側方まで連通するように断面上向きコ字状の配線溝７０が一体的に形成されている。そして、前記キャップ２０におけるコード挿通溝（配線溝）２６の箇所と同様に、上補助キャップ７１と縦補助キャップ７２とが配線溝７０の上面及び外側側面に対して着脱自在に装着できる構成であり、配線溝７０の構造（係止溝等）は図１３及び図１４と略同一であるので詳細な説明は省略する。なお、この端カバー体６４においても、前記装着孔６８の上側に挿通孔７３が穿設され、目隠しパネル６０における取付け軸６０ａが挿通孔７３に挿通して、前記矩形角部６６における装着孔６８にて支持される。また、前記配線受け樋体５の上端の前縁部における断面半円弧状の係合支持部２２に対して、直線状の上カバー体２３の基部係合部２３ａを前記係合支持部２２に着脱自在、且つ上下回動可能に連結することにより、天板３１の後縁部と、矩形枠部５ｅとの隙間のうち、天板３１の後縁部側で寸法Ｌ２を残してこれを塞ぐことができ、上カバー体２３を上方に回動したとき、前記天板３１の後縁部との隙間が広くなり、天板３１上のＯＡ機器からの配線を前記受け樋部５ｄ上に簡単に落とし込むことができるように構成されている。
【００２９】
図２２（ａ）及び図２２（ｂ）に示す変形例では、２つの机天板１、１の間に補助天板７５を、両机天板１、天板７５の下面側に跨いで当接する連結板７６にてビス止めして同一平面上に配置連結した場合であって、この場合にも、補助天板７５の後縁に沿って前記ず１８のように配線受け樋体５を取付け金具６３を介して連結し、端カバー体６４にて覆う構成を採用する。
【００３０】
上記の各構成において、机天板１上のＯＡ機器７４からの配線コードを前記天板３１（もしくは補助天板７５）上のＯＡ機器（図示せず）に接続するように延設するときには、前記上補助キャップ２７、７１や縦補助キャップ２８、７２を予め外し、上カバー体２３を上向きに回動させて隙間を広くしてから、机天板１の後端縁の配線受け樋体５から、連結体１１及びキャップ２０のコード挿通溝２６を介して天板３１（もしくは補助天板７５）の後端縁における端カバー体６４の配線溝７０を通過させ、天板３１（補助天板７５）の後端縁から上方に引き出せば良く、その後前記上カバー体２３を閉じ、前記上補助キャップ２７、７１のみを所定の箇所にセットすれば良い。
【００３１】
このようにすれば、机天板１及び天板３１（補助天板７５）の後側で配線コードが垂れ下がらず、美観を損なわないし、床面に配線コードが這って歩行者の妨げになることも防止できる。
【００３２】
図２３は、前記天板３１及び補助天板７５の後端縁に沿って配置する配線受け樋体５の別実施形態であって、横断面略コ字状に形成されており、上端前縁の係止溝条２２を備えると共に、下端に配線受け樋部５ｄ等を備えた、合成樹脂製の押出部材である。
【００３３】
なお、前記連結体１１の上面に支持板１８ａ，１８ｂ及び机天板１を取付けした状態にて、図１、図２、図４、図１０及び図１１に示すように、机天板１の上方後部側に左右一対の支柱３４、３４を介して収納箱体３５を立設配置するため、各支柱３４の基部の相互に直角方向に延びる一対の水平フランジ３６を机天板１の後角部に当接させた状態で、支持板１８ａ，１８ｂの上面に載置し、 4本のボルト３７にて固定するものである。
【００３４】
各支柱３４は、平面視略Ｌ字状の上下長手の基体３９と、前記Ｌ字状の空間部を覆うための上下長手で横断面が四分の一円の略凹円弧状等のカバー体４０からなり、前記机天板１の後角部が基体３９の内側面に当接できるよう構成されており、カバー体４０の下縁と机天板１の上との間には、配線コードの挿通できる隙間４３が形成されている（図１０参照）。
【００３５】
そして、基体３９の左右両側縁には、平面視略Ｌ字状の上下長手の縁片４１を互い内向きに屈曲形成し、各縁片４１、４１には、上下方向に適宜一定間隔にて係止溝孔４２が穿設形成されている。なお、前記カバー体４０の幅方向に両側縁部に上下長手の係合爪部４０ａ，４０ａが一体的に形成されており、合成樹脂材料等にて弾性を有するので、作業者はカバー体４０の幅方向の寸法を縮めた状態で、前記左右両係合爪部４０ａ，４０ａが基体３９における左右両側の縁片４１、４１のうち対向する角部に押し込み係合させることで、簡単にカバー体４０を着脱できるものである。
【００３６】
そして、左右両支柱３４、３４の上端に前向きの箱支持用ブラケット４４の基端を溶接等にて固着し、左右両箱支持用ブラケット４４上に支持板４５を載置固定し、さらにその上に収納箱体３５の下面をビス等にて固定するものである。なお、前記収納箱体３５はその前面を覆うための蓋体４６が上向き跳ね上げ式に装着されている。開いた蓋体４６は収納箱体３５の上面外側に略水平状にて配置される。なお、前記支持板４５の一部に収納箱体３５を載置固定した場合や収納箱体３５を載置することなく、支持板４５の上面を物品載置用の棚板として使用できる。
【００３７】
カバー体４０の断面を、平面視略Ｌ字状の基体３９の内側の空間を凸湾曲状に囲むように、四分の一円の略凸円弧状に形成しても良い。このように、凸円弧状のカバー体４０を装着すると、支柱３４の前側の囲まれる空間を広くすることができると共に、外観として支柱３４の太さを大きく見せることができる。
【００３８】
なお、１本の支柱３４だけで、小さい平面積の小棚板５２を支持するため、大ブラケットと小ブラケットとの各基端の係合爪を前記係止溝孔４２に係合した後、大小ブラケットの組５３をビス止めして離脱不能にすれば良く、この大小ブラケット上に小棚板５２を載置固定する。このような小棚板５２には、電話機を載置したり、花瓶、写真立て等の装飾品、小物を載置できる。
また、同じく大小ブラケットの組５７に前面に電源用コネクタを取付けても良い（図２参照）。
【００３９】
【発明の作用・効果】
以上に詳述したように、請求項１に記載の発明の天板の後端縁における配線受け樋装置は、天板の後端縁に沿って横方向に延びるように配設する配線受け樋体を、左右一対の取付け体を介して、前記天板の後端左右両側部位に装着したから、配線受け樋体をその左右長手方向の両端のみで、取付け体を介して天板に取付ければ良いから、装着作業が至極容易になるという効果を奏する。
そして、本発明は、前記左右一対の取付け体には、前記天板の後端部上に立設するための縦パネルの支持部を備え、前記左右一対の取付け体には、前記縦パネルの支持部を覆い、且つ前記天板の後端縁と前記配線受け樋体とに隣接する端カバー体を被嵌装着し、該端カバー体には、前記天板の後端縁と略平行状に延びる配線溝を備えたものであるので、縦パネルの取付け作業も容易にでき、しかも、取付け体を端カバー体で覆うことで、取付け体の形状の如何に拘らずデザイン性能を向上できるという効果を奏する。
【００４０】
そして、請求項２に記載の発明は、請求項１に記載の天板の後端縁における配線受け樋装置において、前記端カバー体における配線溝は、その延びる方向の両端部と上面とが開放されているものであるから、配線作業の自由度が向上するという効果を奏する。
【００４１】
さらに、請求項３に記載の発明は、請求項１または請求項２に記載の天板の後端縁における配線受け樋装置において、前記配線受け樋体の上端部には、前記天板の後縁に向かって開閉可能な上カバー体を着脱可能に設けたものであり、これによって配線受け樋体の上端と天板の後端との隙間を大きくしたり少なくする選択が可能となると共に、天板上へ配線コードを引き出し易くなる等の配線作業が容易となるという効果を奏する。
【００４２】
請求項４に記載の発明は、請求項１乃至請求項３のいずれかに記載の天板の後端縁における配線受け樋装置において、前記天板は、その左右両側方に配置された机天板に連結されるかもしくはキャビネットの箱体上に固定されているものであるから、通常の机天板に隣接させ、または連結した天板上のＯＡ機器に対する配線コードも天板の後端から垂れ落ちずに配線受け樋体にて受けて、これらの机天板及び天板の後方の美観を向上させることができると共に歩行者が配線コードにつまずくのも防止できる。
【図面の簡単な説明】
【図１】  本発明に係る事務用机、脇机及び収納箱体の配置を示す１実施形態の斜視図である。
【図２】  本発明に係る事務用机、脇机及び収納箱体の配置を示す他の実施形態の斜視図である。
【図３】  支柱及び収納箱体を省略した机等の配置を示す平面図である。
【図４】  支柱及び収納箱体の部分を示す側面図である。
【図５】  机天板を除去した状態の平面図である。
【図６】  要部の分解斜視図である。
【図７】  連結体の斜視図である。
【図８】  図７の VIII −VIII線矢視拡大断面図である。
【図９】  連結体に対する配線受け樋体の取付け状態を示す側断面図である。
【図１０】  連結体に支柱を立設したときに側断面図である。
【図１１】  支柱を立設したときの机天板を除去した状態での平面図である。
【図１２】  配線受け樋体の側断面図である。
【図１３】  キャップ体の斜視図である。
【図１４】  （ａ）キャップ体の平面図、（ｂ）は一部切欠き側面図である。
【図１５】  （ａ）は上補助キャップの斜視図、（ｂ）は縦補助キャップの斜視図である。
【図１６】  脇机の一部切欠き斜視図である。
【図１７】  脇机の後端における配線受け樋体上の上カバー体を平板状態の一部切欠き斜視図である。
【図１８】  配線受け樋体の取付け状態を示す要部斜視図である。
【図１９】  取付け金具の斜視図である。
【図２０】  配線受け樋体の取付け状態を示す要部平面図である。
【図２１】  図２０のXXI −XXI 線矢視側断面図である。
【図２２】  （ａ）２つの机天板を補助天板で連結した状態の概略平面図、（ｂ）は概略正面図である。
【図２３】  配線受け樋体の別実施形態の横断面図である。
【符号の説明】
１            机天板
２            脚体
３            補助脚体
４            横長のステー部材
５            配線受け樋体
１１            取付け体としての連結体
２０            端カバー体としてのキャップ体
２３            上カバー体
２６            コード挿通溝
３１            天板
６３            取付け体としての取付け金具
６４            端カバー体
６６            矩形角部
７０            配線溝
７５            補助天板
【図１】
0003673710.tif 000002
【図２】
0003673710.tif 000003
【図３】
0003673710.tif 000004
【図４】
0003673710.tif 000005
【図５】
0003673710.tif 000006
【図６】
0003673710.tif 000007
【図７】
0003673710.tif 000008
【図８】
0003673710.tif 000009
【図９】
0003673710.tif 000010
【図１０】
0003673710.tif 000011
【図１１】
0003673710.tif 000012
【図１２】
0003673710.tif 000013
【図１３】
0003673710.tif 000014
【図１４】
0003673710.tif 000015
【図１５】
0003673710.tif 000016
【図１６】
0003673710.tif 000017
【図１７】
0003673710.tif 000018
【図１８】
0003673710.tif 000019
【図１９】
0003673710.tif 000020
【図２０】
0003673710.tif 000021
【図２１】
0003673710.tif 000022
【図２２】
0003673710.tif 000023
【図２３】
0003673710.tif 000024